【事件の表示】
　特願２００７−２４１８１５「磁気共鳴イメージング装置および磁気共鳴画像生成方法」拒絶査定不服審判事件〔平成２１年　４月　９日出願公開、特開２００９−　７２２４９〕について、次のとおり審決する。
【結　論】
　本件審判の請求は、成り立たない。
【理　由】
第１　手続の経緯
　本願は、平成１９年９月１９日に出願された特願２００７−２４１８１５号であって、平成２４年７月２日付けで拒絶理由が通知され、同年１０月１０日付けで意見書が提出され、同年１１月１９日付けで拒絶査定がなされ、これに対して、平成２５年３月２５日に拒絶査定不服審判の請求がなされたものである。
　
第２　本願の請求項１に係る発明
　本願の請求項１に係る発明（以下「本願発明」という。）は、願書に最初に添付された特許請求の範囲の請求項１に記載された事項により特定される次のとおりのものである。
　
「フェーズコントラスト法によって、被検体において血液が流れる動脈と静脈とを含む撮影領域から磁気共鳴信号を収集するスキャンを実施し、前記撮影領域についてＭＲＡ画像を生成する磁気共鳴イメージング装置であって、
　前記磁気共鳴信号において、前記被検体の心拍運動が収縮期である際に収集された第１の磁気共鳴信号に基づいて、第１の画像を前記ＭＲＡ画像として前記収縮期における時間軸に沿うように複数生成する第１画像生成部と、
　前記磁気共鳴信号において、前記被検体の心拍運動が拡張期である際に収集された第２の磁気共鳴信号に基づいて、第２の画像を前記ＭＲＡ画像として前記拡張期における時間軸に沿うように複数生成する第２画像生成部と、
　前記第１画像生成部によって生成された複数の第１の画像を合成することによって第１の合成画像を生成すると共に、前記第２画像生成部によって生成された複数の第２の画像を合成することによって第２の合成画像を生成した後に、当該第１の合成画像と、当該第２の合成画像との間において差分処理を実施することによって、差分画像を生成する差分画像生成部と
　を有する
　磁気共鳴イメージング装置。」
　
第３　引用例
１　原査定の拒絶の理由に引用され、本願の出願前に頒布された刊行物である特開２００１−１７８６９９号公報（以下「引用例１」という。）には、次の事項が記載されている。（後述の「２　引用例１に記載された発明の認定」において発明の認定に直接関係する記載に下線を付した。）
　
「【０００１】
【発明の属する技術分野】本発明は、磁気共鳴撮影装置および記録媒体に関し、特に、
血流像を撮影する磁気共鳴撮影装置、
に関する。
【０００２】
【従来の技術】
磁気共鳴撮影装置では、撮影対象を収容する空間に静磁場、勾配磁場および高周波磁場を形成し、撮影対象のスピン（ｓｐｉｎ）が発生する磁気共鳴信号を収集し、それに基づいて画像を生成する。
【０００３】血流像を撮影する場合は、撮影断面に流入する血流から強い信号が得られるタイム・オブ・フライト（ＴＯＦ：Ｔｉｍｅ　ｏｆ　Ｆｌｉｇｈｔ）法が用いられる。ＴＯＦ法ではグラディエントエコー（ＧＲＥ：ｇｒａｄｉｅｎｔ　ｅｃｈｏ）法のパルスシーケンス（ｐｕｌｓｅ　ｓｅｑｕｅｎｃｅ）が用いられる。
【０００４】
【発明が解決しようとする課題】ＴＯＦ法では、血流以外の体内組織からもスピンの定常状態に基づく弱い信号が生じるので、再構成画像には組織像が薄く出現し微細な血流についての読影を妨げる。
【０００５】そこで、本発明の課題は、血流像を適正に撮影する磁気共鳴撮影装置、および、そのような磁気共鳴撮影機能をコンピュータに実現させるプログラムを記録した記録媒体を実現することである。
【０００６】
【課題を解決するための手段】（１）上記の課題を解決するための１つの観点での発明は、撮影対象における予め定めたスライスについて心収縮期および心拡張期における磁気共鳴信号をそれぞれ収集する信号収集手段と、前記収集した心収縮期の磁気共鳴信号と心拡張期の磁気共鳴信号との差を求める差計算手段と、前記求めた差に基づいて画像を生成する画像生成手段とを具備することを特徴とする磁気共鳴撮影装置である。
【０００７】この観点での発明では、心収縮期における磁気共鳴信号と心拡張期における磁気共鳴信号の差を求めることにより、両信号に共通に含まれる信号を消去し血流のみによる信号を得る。この信号に基づいて血流像のみを含む画像を再構成する。」
　
「【００４７】ＴＯＦ法を実行する場合は、上記ようなパルスシーケンスを、スピンが定常状態になるまでデータを収集せずに予め定められた回数だけ実行し、定常状態になった後にビューデータの収集を開始する。
【００４８】図３のパルスシーケンスによって得られたビューデータが、データ処理部１７０のメモリ（ｋスペース）に収集される。データ処理部１７０は、ｋスペースのビューデータを２次元逆フ−リエ変換して撮影対象３００の断層像を再構成する。データ処理部１７０による画像再構成の詳細については、後にあらためて説明する。再構成した画像はメモリに記憶し、また、表示部１８０で表示する。
【００４９】次に、ビューデータをｋスペースに収集するトラジェクトリ（ｔｒａｊｅｃｔｏｒｙ）について説明する。図４に、ｋスペースとそこにおけるトラジェクトリの概念を示す。ｋスペースは互いに垂直な２つの座標軸ｋｘ，ｋｙを有する。ｋｘは周波数軸、ｋｙは位相軸である。両座標軸の原点はｋスペースの中心に位置する。
【００５０】トラジェクトリは周波数軸ｋｘに平行で位相軸ｋｙ方向に間隔を有する複数の直線となる。位相軸ｋｙ上のトラジェクトリの位置はフェーズエンコード量に対応する。トラジェクトリの数はビュー数に等しい。各トラジェクトリにフェーズエンコードの正の最大値側から負の最大値側に向かって昇順の番号を付す。ここでは、説明の便宜上、トラジェクトリ数を２５とする。すなわち、２５ビューでｋスペースを埋める１セット（ｓｅｔ）のデータを収集するものとする。これらトラジェクトリにつき、所定の順序でデータ収集が行われる。画像再構成はこれらの１セットデータを用いて行われる。
【００５１】ｋスペースは、例えば５つの部分的領域に区分されている。同図において、部分的領域０３はｋスペースの座標原点を含む部分的領域すなわち中央領域である。部分的領域０２，０４は、位相軸方向において部分的領域０３の外側にそれぞれ隣接する領域である。部分的領域０１，０５は、位相軸方向において部分的領域０２，０４の外側にそれぞれ隣接する領域である。なお、区分数は５に限るものではなく適宜で良い。
【００５２】
心拍の所定の位相で撮影対象を撮影する場合、このように区分したｋスペースについて、
それぞれデータ収集を行う。
【００５３】
データ収集は心収縮期と心拡張期においてそれぞれ行われる。心収縮期のデータは第１のｋスペースに収集される。心拡張期のデータは第２のｋスペースに収集される。
【００５４】図５に示した要領でデータ収集を行うときのトラジェクトリの選択順序すなわちビューオーダリング（ｖｉｅｗ　ｏｒｄｅｒｉｎｇ）を、図６および図７に示す。図６は心収縮期のデータを収集するビューオーダリングであり、図７は心拡張期のデータを収集するビューオーダリングである。両図において、縦軸にトラジェクトリ番号をとり横軸にビュー番号をとる。ビュー番号を両図を通じて昇順にたどるようにデータ収集が進行する。
【００５５】図５に示すように、
心拍検出信号のピーク（ｐｅａｋ）からディレイタイムｔｄ後にスキャンを開始する。
【００５６】
１ビュー目のデータは、第１のｋスペースの部分的領域０１に収集する。データを収集するトラジェクトリは、図６に示すように、１番である。２ビュー目のデータは同じｋスペースの部分的領域０２に収集する。トラジェクトリは６番である。３ビュー目のデータは同じｋスペースの部分的領域０３に収集する。トラジェクトリは１１番である。４ビュー目のデータは同じｋスペースの部分的領域０４に収集する。トラジェクトリは１６番である。５ビュー目のデータは同じｋスペースの部分的領域０５に収集する。トラジェクトリは２１番である。１ビュー目から５ビュー目までのデータ収集期間は心収縮期に属する。
【００５７】
６ビュー目から１０ビュー目までのデータ収集は心拡張期に行う。データを収集するｋスペースは第２のｋスペースである。
【００５８】
心拍周期の２周期目では、心収縮期で１１ビュー目から１５ビュー目までのデータを収集し、心拡張期で１６ビュー目から２０ビュー目までのデータを収集する。
【００５９】すなわち、１１ビュー目のデータは、第１のｋスペースの部分的領域０１のトラジェクトリ２番に収集する。１２ビュー目のデータは部分的領域０２のトラジェクトリ７番、１３ビュー目は部分的領域０３のトラジェクトリは１２番、１４ビュー目は部分的領域０４のトラジェクトリ１７番、１５ビュー目は部分的領域０５のトラジェクトリ２２番にそれぞれ収集する。
【００６０】１６ビュー目のデータは第２のｋスペースの部分的領域０１のトラジェクトリ２番に収集する。１７ビュー目はトラジェクトリ７番、１８ビュー目はトラジェクトリは１２番、１９ビュー目はトラジェクトリ１７番、２０ビュー目はトラジェクトリ２２番にそれぞれ収集する。
【００６１】
心拍周期の３周期目では、心収縮期で２１ビュー目から２５ビュー目までのデータを収集し、心拡張期で２６ビュー目から３０ビュー目までのデータを収集する。
【００６２】すなわち、２１ビュー目のデータは、第１のｋスペースの部分的領域０１のトラジェクトリ３番に収集する。２２ビュー目のデータは部分的領域０２のトラジェクトリ８番、２３ビュー目は部分的領域０３のトラジェクトリは１３番、２４ビュー目は部分的領域０４のトラジェクトリ１８番、２５ビュー目は部分的領域０５のトラジェクトリ２３番にそれぞれ収集する。
【００６３】２６ビュー目のデータは第２のｋスペースの部分的領域０１のトラジェクトリ３番に収集する。２７ビュー目はトラジェクトリ８番、２８ビュー目はトラジェクトリは１３番、２９ビュー目はトラジェクトリ１８番、３０ビュー目はトラジェクトリ２３番にそれぞれ収集する。
【００６４】
心拍周期の４周期目では、心収縮期で３１ビュー目から３５ビュー目までのデータを収集し、心拡張期で３６ビュー目から４０ビュー目までのデータを収集する。
【００６５】すなわち、３１ビュー目のデータは、第１のｋスペースの部分的領域０１のトラジェクトリ４番に収集する。３２ビュー目のデータは部分的領域０２のトラジェクトリ９番、３３ビュー目は部分的領域０３のトラジェクトリは１４番、３４ビュー目は部分的領域０４のトラジェクトリ１９番、３５ビュー目は部分的領域０５のトラジェクトリ２４番にそれぞれ収集する。
【００６６】３６ビュー目のデータは第２のｋスペースの部分的領域０１のトラジェクトリ４番に収集する。３７ビュー目はトラジェクトリ９番、３８ビュー目はトラジェクトリは１４番、３９ビュー目はトラジェクトリ１９番、４０ビュー目はトラジェクトリ２４番にそれぞれ収集する。
【００６７】
心拍周期の５周期目では、心収縮期で４１ビュー目から４５ビュー目までのデータを収集し、心拡張期で４６ビュー目から５０ビュー目までのデータを収集する。
【００６８】すなわち、４１ビュー目のデータは、第１のｋスペースの部分的領域０１のトラジェクトリ５番に収集する。４２ビュー目のデータは部分的領域０２のトラジェクトリ１０番、４３ビュー目は部分的領域０３のトラジェクトリは１５番、４４ビュー目は部分的領域０４のトラジェクトリ２０番、４５ビュー目は部分的領域０５のトラジェクトリ２５番にそれぞれ収集する。
【００６９】４６ビュー目のデータは第２のｋスペースの部分的領域０１のトラジェクトリ５番に収集する。４７ビュー目はトラジェクトリ１０番、４８ビュー目はトラジェクトリは１５番、４９ビュー目はトラジェクトリ２０番、５０ビュー目はトラジェクトリ２５番にそれぞれ収集する。
【００７０】
このようにして、心拍の５周期で、２つのｋスペースを埋めるデータセットそれぞれ得られる。第１のｋスペースのデータセットは心収縮期の断層像を再構成するに足るデータであり、第２のｋスペースのデータセットは心拡張期の断層像を再構成するに足るデータである。
【００７１】データ処理部１７０は、このような２つｋスペースのデータに基づいて血流像を生成する。図８に、血流像を生成する観点での、データ処理部１７０のブロック図を示す。
【００７２】同図に示すように、
データ処理部１７０は減算ユニット２０２を有する。
【００７３】
この減算により、心収縮期の信号と心拡張期の信号に共通に含まれている信号成分が相殺されて消滅する。共通に含まれる信号は体内組織から生じた信号であり、これが減算によって除去される。その結果、心収縮期と心拡張期で相違する信号成分すなわち動脈性の血流信号が残る。
【００７４】減算結果の信号はトラジェクトリごとに画像再構成ユニット２０８に入力される。画像再構成ユニット２０８は入力された全トラジェクトリの差分データに基づいて画像を再構成する。これによって動脈性の血流像が得られる。血流像は表示部１８０で表示され、また、メモリに記憶される。画像再構成ユニット２０８および表示部１８０からなる部分は、本発明における画像生成手段の実施の形態の一例である。
【００７５】
共通部分の相殺は、
再構成した画像について行うようにしても良い。
メモリ２０４のデータについては画像再構成ユニット２１４で画像を再構成し、メモリ２０６のデータについては画像再構成ユニット２１６で画像を再構成する。両画像を減算ユニット２１２で減算することにより、動脈性の血流像のみを含む画像を得る。
【００７６】画像再構成ユニット２１４，２１６は、本発明における画像生成手段の実施の形態の一例である。減算ユニット２１２は、本発明における画像処理手段の実施の形態の一例である。
【００７７】図１０に、上記のような減算による血流像生成の概念図を示す。同図に示すように、心収縮期の像には動脈性の血流像３０２と定常状態信号に基づく組織像３０４が含まれる。心拡張期では動脈性の血流がほぼ停止することにより血流像は現れず組織像３０４だけが現れる。両者の差分として血流像３０２だけが残る。このような減算を、図８に示した構成ではｋスペースのデータについて行い、図９に示した構成では画像データについて行う。」
　
「【００８５】以上、ＴＯＦ法による血流撮影の例で説明したが、
血流撮影は
フェーズコントラスト（ＰＣ：Ｐｈａｓｅ　Ｃｏｎｔｒａｓｔ）法等、適宜の技法を用いても良い
　
「【図４】
　　　　　　　　　　　　　　　　　　　　　　　　　　　　　　」
「【図５】
　　　　　　　　　　　　　　　　　　　　　　　　　　　　　　」
　
「【図６】
　　　　　　　　　　　　　　　　　　　　　　　　　　　　　　」
「【図７】
　　　　　　　　　　　　　　　　　　　　　　　　　　　　　　　　」
「【図９】
　　　　　　　　　　　　　　　　　　　　　　　　　　　　　　　　」
　
２　引用例１に記載された発明の認定
　上記記載（図面の記載も含む）から、引用例１には、
「血流像を撮影する磁気共鳴撮影装置に関し、
　磁気共鳴撮影装置では、撮影対象を収容する空間に静磁場、勾配磁場および高周波磁場を形成し、撮影対象のスピン（ｓｐｉｎ）が発生する磁気共鳴信号のデータを収集し、それに基づいて画像を生成するものであり、
　上記のデータ収集については、
　心拍の所定の位相で撮影対象を撮影する場合、区分したｋスペースについて、心収縮期と心拡張期においてそれぞれ行われ、心収縮期のデータは第１のｋスペースに収集され、心拡張期のデータは第２のｋスペースに収集され、
　より具体的には、
　心拍検出信号のピーク（ｐｅａｋ）からディレイタイムｔｄ後にスキャンを開始し、
　心拍周期の１周期目において、１ビュー目のデータは、第１のｋスペースの部分的領域０１に収集し、データを収集するトラジェクトリは、１番であり、２ビュー目のデータは同じｋスペースの部分的領域０２に収集し、トラジェクトリは６番であり、３ビュー目のデータは同じｋスペースの部分的領域０３に収集し、トラジェクトリは１１番であり、４ビュー目のデータは同じｋスペースの部分的領域０４に収集し、トラジェクトリは１６番であり、５ビュー目のデータは同じｋスペースの部分的領域０５に収集し、トラジェクトリは２１番であり、すなわち、１ビュー目から５ビュー目までのデータ収集期間は心収縮期に属し、同様に、６ビュー目から１０ビュー目までのデータ収集は心拡張期に行い、データを収集するｋスペースは第２のｋスペースであり、
　以下、同様に、心拍周期の２周期目では、心収縮期で１１ビュー目から１５ビュー目までのデータを収集し、心拡張期で１６ビュー目から２０ビュー目までのデータを収集し、　心拍周期の３周期目では、心収縮期で２１ビュー目から２５ビュー目までのデータを収集し、心拡張期で２６ビュー目から３０ビュー目までのデータを収集し、
　心拍周期の４周期目では、心収縮期で３１ビュー目から３５ビュー目までのデータを収集し、心拡張期で３６ビュー目から４０ビュー目までのデータを収集し、
　心拍周期の５周期目では、心収縮期で４１ビュー目から４５ビュー目までのデータを収集し、心拡張期で４６ビュー目から５０ビュー目までのデータを収集し、
　このようにして、心拍の５周期で、２つのｋスペースを埋めるデータセットそれぞれ得られ、第１のｋスペースのデータセットによって心収縮期の断層像の画像を再構成し、第２のｋスペースのデータセットによって心拡張期の断層像の画像を再構成し、
　データ処理部１７０は減算ユニット２０２を有し、減算により、心収縮期の信号と心拡張期の信号に共通に含まれている信号成分が相殺されて消滅し、共通に含まれる信号は体内組織から生じた信号であり、これが減算によって除去され、その結果、心収縮期と心拡張期で相違する信号成分すなわち動脈性の血流信号が残り、
　上記の共通に含まれる信号成分の相殺については、再構成した心収縮期の断層像と心拡張期の断層像の画像について共通部分の相殺を行うことによってなされ、動脈性の血流像のみを含む画像を得るものであり、
　上記の血流撮影はフェーズコントラスト（ＰＣ：Ｐｈａｓｅ　Ｃｏｎｔｒａｓｔ）法の技法を用いて行われる磁気共鳴撮影装置。」
の発明（以下「引用発明」という。）が記載されている。
　
第４　本願発明と引用発明の対比
１　ここで、本願発明と引用発明を対比する。
（１）引用発明の「撮影対象を収容する空間に静磁場、勾配磁場および高周波磁場を形成し、撮影対象のスピン（ｓｐｉｎ）が発生する磁気共鳴信号のデータを収集し、それに基づいて画像を生成する」「血流像を撮影する磁気共鳴撮影装置」であって、「フェーズコントラスト（ＰＣ：Ｐｈａｓｅ　Ｃｏｎｔｒａｓｔ）法の技法を用いて」「血流撮影」が行われる「磁気共鳴撮影装置」が、本願発明の「フェーズコントラスト法によって、被検体において血液が流れる動脈と静脈とを含む撮影領域から磁気共鳴信号を収集するスキャンを実施し、前記撮影領域についてＭＲＡ画像を生成する磁気共鳴イメージング装置」に相当する。
　
（２）引用発明の「心収縮期のデータ」を「収集」することと、本願発明の「第１の画像を」「複数生成」することとは、「第１の画像データを複数生成」することで共通し、また、引用発明の「心収縮期の断層像の画像」は最終的に得られた画像であることから、本願発明の「第１の合成画像」に相当するといえる。
　よって、引用発明の「心拍の所定の位相で撮影対象を撮影する場合」、「心収縮期のデータは第１のｋスペースに収集され」、「心拍検出信号のピーク（ｐｅａｋ）からディレイタイムｔｄ後にスキャンを開始し」、「心拍周期の１周期目において、１ビュー目から５ビュー目までのデータ収集期間は心収縮期に属し」、「心拍周期の２周期目では、心収縮期で１１ビュー目から１５ビュー目までのデータを収集し」、「心拍周期の３周期目では、心収縮期で２１ビュー目から２５ビュー目までのデータを収集し」、「心拍周期の４周期目では、心収縮期で３１ビュー目から３５ビュー目までのデータを収集し」、「心拍周期の５周期目では、心収縮期で４１ビュー目から４５ビュー目までのデータを収集し」、「このようにして、心拍の５周期で」、「ｋスペースを埋めるデータセット」が得られ、「第１のｋスペースのデータセットによって心収縮期の断層像の画像を再構成」することと、本願発明の「前記磁気共鳴信号において、前記被検体の心拍運動が収縮期である際に収集された第１の磁気共鳴信号に基づいて、第１の画像を前記ＭＲＡ画像として前記収縮期における時間軸に沿うように複数生成する第１画像生成部」を有し、「前記第１画像生成部によって生成された複数の第１の画像を合成することによって第１の合成画像を生成する」こととは、「前記磁気共鳴信号において、前記被検体の心拍運動が収縮期である際に収集された第１の磁気共鳴信号に基づいて、第１の画像データを前記ＭＲＡ画像データとして前記収縮期における時間軸に沿うように複数生成」し「生成された複数の第１の画像データを処理することによって第１の合成画像を生成する」点で共通する。
　
（３）上記（２）と全く同様に、引用発明の「心拡張期のデータ」を「収集」することと、本願発明の「第２の画像を」「複数生成」することとは、「第２の画像データを複数生成」することで共通し、また、引用発明の「心拡張期の断層像の画像」は最終的に得られた画像であることから、本願発明の「第２の合成画像」に相当するといえるから、引用発明の「心拍の所定の位相で撮影対象を撮影する場合」、「心拡張期のデータは第２のｋスペースに収集され」、「心拍検出信号のピーク（ｐｅａｋ）からディレイタイムｔｄ後にスキャンを開始し」、「心拍周期の１周期目において」、「６ビュー目から１０ビュー目までのデータ収集は心拡張期に行い」、「心拍周期の２周期目では」、「心拡張期で１６ビュー目から２０ビュー目までのデータを収集し」、「心拍周期の３周期目では」、「心拡張期で２６ビュー目から３０ビュー目までのデータを収集し」、「心拍周期の４周期目では」、「心拡張期で３６ビュー目から４０ビュー目までのデータを収集し」、「心拍周期の５周期目では」、「心拡張期で４６ビュー目から５０ビュー目までのデータを収集し」、「このようにして、心拍の５周期で」、「ｋスペースを埋めるデータセット」が得られ、「第２のｋスペースのデータセットによって心拡張期の断層像の画像を再構成」することと、本願発明の「前記磁気共鳴信号において、前記被検体の心拍運動が拡張期である際に収集された第２の磁気共鳴信号に基づいて、第２の画像を前記ＭＲＡ画像として前記拡張期における時間軸に沿うように複数生成する第２画像生成部」を有し、「前記第２画像生成部によって生成された複数の第２の画像を合成する」こととは、「前記磁気共鳴信号において、前記被検体の心拍運動が拡張期である際に収集された第２の磁気共鳴信号に基づいて、第２の画像データを前記ＭＲＡ画像データとして前記拡張期における時間軸に沿うように複数生成」し「生成された複数の第２の画像データを処理することによって第２の合成画像を生成する」点で共通する。
　
（４）引用発明の「減算により、心収縮期の信号と心拡張期の信号に共通に含まれている信号成分が相殺されて消滅し、共通に含まれる信号は体内組織から生じた信号であり、これが減算によって除去され、その結果、心収縮期と心拡張期で相違する信号成分すなわち動脈性の血流信号が残り、上記の共通に含まれる信号成分の相殺については、再構成した心収縮期の断層像と心拡張期の断層像の画像について共通部分の相殺を行うことによってなされ、動脈性の血流像のみを含む画像を得る」処理を行う「データ処理部１７０の減算ユニット２０２」が、本願発明の「第２の合成画像を生成した後に、当該第１の合成画像と、当該第２の合成画像との間において差分処理を実施することによって、差分画像を生成する差分画像生成部」に相当する。
　
２　一致点
　したがって、本願発明と引用発明とは、
「フェーズコントラスト法によって、被検体において血液が流れる動脈と静脈とを含む撮影領域から磁気共鳴信号を収集するスキャンを実施し、前記撮影領域についてＭＲＡ画像を生成する磁気共鳴イメージング装置であって、
　前記磁気共鳴信号において、前記被検体の心拍運動が収縮期である際に収集された第１の磁気共鳴信号に基づいて、第１の画像データを前記ＭＲＡ画像データとして前記収縮期における時間軸に沿うように複数生成し、
　前記磁気共鳴信号において、前記被検体の心拍運動が拡張期である際に収集された第２の磁気共鳴信号に基づいて、第２の画像データを前記ＭＲＡ画像データとして前記拡張期における時間軸に沿うように複数生成し、
　前記生成された複数の第１の画像データを処理することによって第１の合成画像を生成すると共に、前記生成された複数の第２の画像データを処理することによって第２の合成画像を生成した後に、当該第１の合成画像と、当該第２の合成画像との間において差分処理を実施することによって、差分画像を生成する差分画像生成部を有する
　磁気共鳴イメージング装置。」
の発明である点で一致し、次の点で相違する。
　
３　相違点
　「生成された複数の第１の画像データを処理することによって第１の合成画像を生成する」に当たり、本願発明は、第１の画像データから「複数の第１の画像を生成」し、当該複数の第１の画像を「合成」して第１の合成画像を生成するものであり、また、同様に、「生成された複数の第２の画像データを処理することによって第２の合成画像を生成」するに当たり、本願発明は、第２の画像データから「複数の第２の画像を生成」し、当該複数の第２の画像を「合成」して第２の合成画像を生成するものであるのに対して、引用発明においてはそのような特定がない点。
　
第５　当審の判断
１　相違点の検討
　上記相違点について検討する。
　複数の画像データを処理して画像を生成する際に、複数の画像データを処理して一度で直接に最終生成物としての画像を生成する手法の他に、複数の画像データから、一度、中間生成物としての画像を生成し、当該中間生成物としての画像を合成して最終生成物としての画像を生成する手法も考えられるが（必要とあらば、画像合成技術の一般論として、例えば、原審の拒絶理由において引用した特開平６−７３１５号公報参照）、どちらの手法を選択して最終画像を得るかは、単なる、画像処理上の設計的事項にすぎない。
　すなわち、上記相違点に係る本願発明の発明特定事項を得ることは当業者が容易に想到し得たことである。
　
２　本願発明の奏する作用効果
　そして、本願発明によってもたらされる効果は、引用例１に記載された事項から当業者が予測し得る程度のものである。
　
　この点、審判請求書において、請求人は、本願発明の奏する作用効果に関して、
「（本願の請求項１，７に係る発明は、）ＭＲＡによって血流をイメージングするとき、血流（特に、動脈）は１心拍の周期によって流れ方が変わるので、
１心拍中
多数（複数）の時相のＭＲ画像（血流画像）を合成
多数（複数）の時相の血流が反映された血流画像を生成することができ
血流が流れる２Ｄ断層面上で途切れのない血流の画像を得ることができる。
と主張する。
　上記主張は、当審で付した下線の部分を参酌すると、「多数（複数）の時相の血流が反映された」ことによる作用効果とも解される。
　しかしながら、引用例１の【００５０】に「トラジェクトリは周波数軸ｋｘに平行で位相軸ｋｙ方向に間隔を有する複数の直線となる。位相軸ｋｙ上のトラジェクトリの位置はフェーズエンコード量に対応する。」と記載されているように、引用発明の各「トラジェクトリ」において、それぞれの（異なる）時相におけるデータが収集されているものであり、引用発明の「心拍周期の１周期目において、１ビュー目のデータは、第１のｋスペースの部分的領域０１に収集し、データを収集するトラジェクトリは、１番であり、２ビュー目のデータは同じｋスペースの部分的領域０２に収集し、トラジェクトリは６番であり、３ビュー目のデータは同じｋスペースの部分的領域０３に収集し、トラジェクトリは１１番であり、４ビュー目のデータは同じｋスペースの部分的領域０４に収集し、トラジェクトリは１６番であり、５ビュー目のデータは同じｋスペースの部分的領域０５に収集し、トラジェクトリは２１番」であるというの特定から、引用発明においても、多数（複数）の時相のそれぞれでＭＲ画像（血流画像）のデータを生成するものといえるから、その点（多数の時相で画像データを生成（収集）し、多数の時相の血流を反映したものである点）においては、本願発明と引用発明は相違しない。よって、上記の多数の時相で画像データを生成（収集）することによって、本願発明が、引用発明においては奏しない作用効果を奏するものではない。よって、当該主張は採用できない。
　また、上記主張が、多数（複数）の時相の「ＭＲ画像（血流画像）を合成」することによって、すなわち、画像データから直接的に最終の画像を生成するのではなく、一端、複数の中間画像を生成して当該複数の中間画像を合成して最終画像を生成すること（上記「第４　本願発明と引用発明の対比」の「３　相違点」で挙げた点）によって奏する作用効果である旨の主張であるとすれば、それによって何故そのような効果が生ずるといえるのか、その根拠が不明である。すなわち、技術常識を鑑みても「中間画像の形成」の有無が画像の質に影響するものとはいえないから、中間画像を形成することによって「血流が流れる２Ｄ断層面上で途切れのない血流の画像を得ることができる」ということはできず、また、明細書においてそのような効果を示すデータが示されているものでもないから、上記主張は技術的観点からも証拠（データ）の観点からも根拠を欠く主張である。よって、上記主張を採用することができない。
　なお、この点に関し、明細書の発明の詳細な説明には、【００９７】に、
「さらに、本実施形態においては、複数の第１の画像Ｉ１１，Ｉ１２，Ｉ１３，Ｉ１４の間において対応する画素の画素値について加算平均処理を実施し合成することによって第１の合成画像Ｃ１を生成すると共に、複数の第２の画像Ｉ２１，Ｉ２２，Ｉ２３，Ｉ２４の間において対応する画素の画素値について加算平均処理を実施し合成することによって第２の合成画像Ｃ２を生成する。このように、加算平均処理を実施することによって、第１の合成画像Ｃ１および第２の合成画像Ｃ２を生成しているため、高いＳ／Ｎ比にて差分画像ＣＩを生成できる効果がある。」
と記載されているが、上記の「高いＳ／Ｎ比にて差分画像ＣＩを生成できる」という効果は、「加算平均処理を実施し合成することによって」生じた効果であり、「加算平均処理」する場合の他に「最大値投影処理」する場合（本願の請求項４における特定）をも含む本願発明が奏する作用効果であるということはできないから、このように解釈した場合においても上記主張を採用することができない。（上記の【００９７】に記載の効果は当業者が技術常識を参酌して予測し得る効果にすぎないものであることも付け加えておく。）
　また、上記主張が、多数の時相が「１心拍中」におけるものであることによって上記の作用効果を奏する旨の主張であるとすれば、本願発明（本願の請求項１）にはその点（「１心拍中」の多数の時相でデータを収集すること）は何ら特定されておらず、当該主張は請求項の記載に基づくものではないので採用できない。
　すなわち、上記の請求人の主張は、それをどのように解したとしても、採用することはできないものである。
　
３　まとめ
　したがって、本願発明は、引用発明に基いて当業者が容易に発明をすることができたものである。
　
第６　結言
　以上のとおり、本願発明は、引用発明に基いて当業者が容易に発明をすることができたものであり、特許法第２９条第２項の規定により特許を受けることができないから、その余の請求項に係る発明について論及するまでもなく、本願は拒絶すべきものである。
　
　よって、結論のとおり審決する。